(57)【要約】  本発明の特徴によれば、内部に発電装置が備えられたハウジングと、前記ハウジングに回転可能に結合される回転体と、前記回転体の外周面に結合されて前記回転体と一体に前記ハウジングを中心に回転される回転支持台と、板形状に形成され、一側面に内部に形成されて前記回転支持台が回転可能に挿入される固定溝が形成され、気体または流体によって抵抗を発生させる抵抗板と、前記気体または流体が移動する正方向で抵抗が発生されるように抵抗板が垂直状態であり、逆方向で抵抗が発生されないように抵抗板が水平状態になるように前記抵抗板を回転支持台に回転されるように結合させ、前記抵抗板の回転角度幅が制限されるように結合させる角度制限部とを含み、前記抵抗板によって発生される抵抗力で前記回転体が回転され、回転される回転体の回転力によって前記発電装置がエネルギーを発電させる。上述した本発明によれば、抵抗板によって発生される抵抗力で回転体が回転され、回転される回転体の回転力によって発電装置がエネルギーを発電させることができるエネルギー発生装置の抵抗板構造を提供することができる。
2018504558.tif 000002
【特許請求の範囲】
【請求項１】
内部に発電装置が備えられたハウジングと、
前記ハウジングに回転可能に結合される回転体と、
前記回転体の外周面に結合されて前記回転体と一体に前記ハウジングを中心に回転される回転支持台と、
板形状で形成され、一側面に内部へ形成されて前記回転支持台が回転可能に挿入される固定溝が形成され、気体または流体によって抵抗を発生させる抵抗板と、
前記気体または流体が移動する正方向で抵抗が発生されるように抵抗板が垂直状態であり、逆方向で抵抗が発生されないように抵抗板が水平状態になるように前記抵抗板を回転支持台に回転可能に結合させ、前記抵抗板の回転角度幅が制限されるように結合させる角度制限部とを含み、
前記抵抗板によって発生される抵抗力で前記回転体が回転され、回転される回転体の回転力によって前記発電装置がエネルギーを発電することを特徴とするエネルギー発生装置の抵抗板構造。
【請求項２】
前記角度制限部は、
前記回転支持台の外周面に突出されて第１外側面と第２外側面が形成された突出部と、
前記抵抗板の固定溝の内周面の一側が前記固定溝の半径より大きい半径を有するように外側に形成されて両端に第１係止突起と第２係止突起が形成され、前記回転支持台の突出部が挿入される離隔溝とを含み、
前記抵抗板は、前記気体または流体によって回転される時、前記離隔溝の係止突起が前記突出部に係止されて回転が制限され、前記気体または流体の移動方向によって垂直状態または水平状態になることを特徴とする請求項１に記載のエネルギー発生装置の抵抗板構造。
【請求項３】
前記抵抗板の離隔溝は、前記第１係止突起と第２係止突起との間の角度が９０゜より大きく１８０゜より小さく形成され、
前記突出部の第１外側面と前記離隔溝の第１突出顎、前記突出部の第２外側面と前記離隔溝の第２突出顎は、前記抵抗板が回転されることによって互いに面接触されることができるように互いに平行に形成され、前記抵抗板は、垂直状態と水平状態である時、間の回転角度が９０゜より小さく、水平状態になった時、前記係止突起が突出部に係止されることにより水平面との間に最小抵抗角が形成され、前記気体または流体の正方向と回転支持台の末端面が対向する状態になれば前記最小抵抗角によって抵抗が発生されて前記回転支持台を中心に回転され、垂直状態になることを特徴とする請求項２に記載のエネルギー発生装置の抵抗板構造。
【請求項４】
前記抵抗板は、前記固定溝を基準として上下部に突出された上部抵抗部と下部抵抗部とが形成され、前記上部抵抗部と下部抵抗部の突出長さは二つの中の何れか一つがより長く形成され、前記上部抵抗部に比べて下部抵抗部がより重く形成され、前記抵抗板は、前記気体または流体の進行方向である正方向を向けて回転体が回転されると抵抗が発生されるように垂直状態になり、逆方向を向けて回転体が回転されると抵抗が発生されないように水平状態になり、気体または流体の流れ方向に影響を受けないことを特徴とする請求項１に記載のエネルギー発生装置の抵抗板構造。
【請求項５】
前記抵抗板は、外側面に前記固定溝と貫通される結合孔が形成され、
前記回転支持台は、前記固定溝に挿入されて前記結合孔と対向する外周面の周りに沿って凹まされた係止溝が形成され、前記結合孔に挿入されて末端が前記係止溝に係止されて前記回転支持台が固定溝から分離されないようにする離脱防止ピンをさらに含む請求項１に記載のエネルギー発生装置の抵抗板構造。
【請求項６】
前記突出部の両側面の中の何れか一つの側面以上に結合されて前記突出部の両側面が離隔された角度の調節が可能な角度調節部をさらに含み、
前記抵抗板は、前記角度調節部によって調節される前記突出部の両側面離隔された角度によって垂直状態と水平状態の間の回転角度幅が調節され、
前記角度調節部は、前記突出部の一側面に内部へ挿入され、外側に突出される長さが調節可能に固定される長さ調節バーと、
前記長さ調節バーの外周面に結合され、回転させることによって前記長さ調節バーを突出部の一側面の外側に突出させるか内部に引き込ませる長さ調節部材と、
前記長さ調節バーの末端に結合される角度調節部材とを含み、
前記回転支持台は、前記抵抗板の結合孔に挿入される回転中心軸を含み、
前記抵抗板は、前記長さ調節部材によって突出部の一側面の外側に突出または引き込まれる長さ調節バーの長さによって前記突出部の一側面と角度調節部材との間の隔離距離が遠くなるか狭くなることにより前記回転中心軸を中心として回転される回転角度の幅が調節され、
前記長さ調節バーは、前記突出部の一側面にねじ結合方式で挿入固定され、前記長さ調節部材は、前記長さ調節バーとねじ結合方式で結合されて、回転させることによって前記長さ調節バーが前記突出部の一側面に突出されるか引き込まれる長さ調節が可能なことを特徴とする請求項２に記載のエネルギー発生装置の抵抗板構造。
【請求項７】
前記回転中心軸は、前記抵抗板の一側面と対向する回転中心軸に第１ベアリングが備えられ、前記回転中心軸の末端部に第２ベアリングが備えられて前記抵抗板の回転を円滑にし、
前記第１ベアリングの外径は前記回転中心軸の突出部の外径と同一に形成され、
前記第２ベアリングの外径は、前記抵抗板の固定溝に挿入されることができるように前記固定溝の内径と同一に形成され、
前記中間部に備えられた第１ベアリングは、末端部に備えられた第２ベアリングよりさらに大きいことを特徴とする請求項１に記載のエネルギー発生装置の抵抗板構造。
【発明の詳細な説明】
【技術分野】
【０００１】
本発明はエネルギー発生装置の抵抗板構造に関するもので、より詳しくは、エネルギー発生装置の抵抗板の流体によって抵抗板で発生される抵抗で回転体を回転して流体の移動による電気発電を可能にするエネルギー発生装置の抵抗板構造に関する。
【背景技術】
【０００２】
一般に、電気を生産する方法としては、水力発電、潮力発電、火力発電、原子力発電、風力発電及び太陽光発電などが用いられている。その中で、火力発電、原子力発電設備の場合は、稼動のために莫大な消費エネルギーと高度な技術、人力、高価の先端装備などが要求されるだけでなく、設置、メンテナンス費用が相当かかることはもちろん、特に環境に致命的な環境汚染物が多量生成される逆機能が存在するという問題点がある。
【０００３】
したがって、三面が海で取り囲まれており、風の移動性の良い山岳地域が豊かな韓国の地理的与件を考慮して風力または潮力を利用した環境にやさしく、低炭素新再生グリーンエネルギの開発に大きな関心を見せている。
【０００４】
一方、今まで最も多く設置／用いられる通常の風力装置はプロペラ型回転として、垂直に設置された一つの支柱の上部先端に動力伝達部が装着されており、その動力伝達部の一側に約３〜４つの羽が所定の直径範囲内で一定の等角放射形に配置された一つの回転羽が風が吹く方向に向かって垂直に装着される構造からなっている。このような構造の従来の風力発電機は扇風機の羽のようにその支柱上端に一つの回転羽装置のみ縦に設置される非合理的な構造であることからその一つの回転羽の回転駆動による少量発電量しか期待することができなく、発電量の増大のためには、膨大に広い場所に上記した構造物の個数を相当量増築する必要があるため、莫大な設置場所と投資費用に比べて得られる発電量は限界がある。
【０００５】
また、従来は水の流れによって抵抗板を押す力だけで定位置が決まるが、抵抗板が重い場合押す力を全部活用しにくいという問題点があった。
【発明の開示】
【発明が解決しようとする課題】
【０００６】
上述したような問題点を解決するために案出された本発明の目的は、気体または流体が移動する正方向で抵抗が発生されるように抵抗板が垂直状態、逆方向で抵抗が発生されないように抵抗板が水平状態になるように上記回転支持台と抵抗板を結合させることにより、抵抗板によって発生される抵抗力で回転体を回転し、回転される回転体の回転力によって発電装置がエネルギーを発電させることができるエネルギー発生装置の抵抗板構造を提供することにある。
【０００７】
また、本発明の目的は、抵抗板が水平状態になった時、係止突起が突出部に係止されることにより、水平面との間に最小抵抗角が形成され、それにより、気体または流体の正方向と回転支持台の端面が対向する状態になると、最小抵抗角によって抵抗が発生されて抵抗板が回転体を中心に迅速及び容易に回転され、垂直状態になって抵抗を発生させると同時に、回転体を回転させることができるエネルギー発生装置の抵抗板構造を提供することにある。
【０００８】
また、本発明の目的は、角度調節部によって調節される突出部の両側面離隔された角度に応じて抵抗板の回転角度幅が調節され、それにより、抵抗板が垂直状態で発生される抵抗力を調節することができることにより回転体の回転速度を制御することができ、発電装置の過負荷を防止してメンテナンス管理が容易であり、メンテナンス管理による費用を節減することができるエネルギー発生装置の抵抗板構造を提供することにある。
【課題を解決するための手段】
【０００９】
上述したような目的を達するための本発明の特徴によれば、内部に発電装置が備えられたハウジングと、上記ハウジングに回転可能に結合される回転体と、上記回転体の外周面に結合されて上記回転体と一体に上記ハウジングを中心に回転される回転支持台と、板形状で形成され、一側面に内部へ形成されて上記回転支持台が回転可能に挿入される固定溝が形成され、気体または流体によって抵抗を発生させる抵抗板と、上記気体または流体が移動する正方向で抵抗が発生されるように抵抗板が垂直状態、逆方向で抵抗が発生されないように抵抗板が水平状態になるように上記抵抗板が回転支持台に回転可能に結合され、上記抵抗板の回転角度幅が制限されるように結合させる角度制限部とを含み、上記抵抗板によって発生される抵抗力で上記回転体が回転され、回転される回転体の回転力によって上記発電装置がエネルギーを発電させる。
【００１０】
また、上記角度制限部は、上記回転支持台の外周面に突出されて第１外側面と第２外側面とが形成された突出部と、上記抵抗板の固定溝の内周面の一側が上記固定溝の半径より大きい半径を有するように外側に形成され、両端に第１係止突起と第２係止突起とが形成され、上記回転支持台の突出部が挿入される離隔溝とを含み、上記抵抗板は、上記気体または流体によって回転される時上記離隔溝の係止突起が上記突出部に係止されて回転が制限されて、上記気体または流体の移動方向によって垂直状態または水平状態になる。
【００１１】
また、上記抵抗板の離隔溝は、上記第１係止突起と第２係止突起との間の角度が９０゜より大きく１８０゜より小さく形成され、上記突出部の第１外側面と上記離隔溝の第１突出顎、上記突出部の第２外側面と上記離隔溝の第２突出顎は、上記抵抗板が回転されることによって互いに面接触されることができるように互いに平行に形成され、上記抵抗板は、垂直状態と水平状態との間の回転角度が９０゜より小さく、水平状態になった時上記係止突起が突出部に係止されることによって水平面との間に最小抵抗角が形成され、上記気体または流体の正方向と回転支持台の末端面が対向する状態になれば、上記最小抵抗角によって抵抗が発生されて上記回転支持台を中心に回転されて垂直状態になる。
【００１２】
また、上記抵抗板は、上記固定溝を基準として上下部に突出された上部抵抗部と下部抵抗部とが形成され、上記上部抵抗部と下部抵抗部の突出長さは二つの中の何れか一つがより長く形成され、上記上部抵抗部に比べて下部抵抗部がより重く形成され、上記抵抗板は、上記気体または流体の進行方向である正方向を向けて回転体が回転されると抵抗が発生されるように垂直状態になり、逆方向を向けて回転体が回転されると抵抗が発生されないように水平状態になり、気体または流体の流れ方向に影響を受けない。
【００１３】
また、上記抵抗板は、外側面に上記固定溝と貫通される結合孔が形成され、上記回転支持台は、上記固定溝に挿入されて上記結合孔と対向する外周面の周りに沿って凹まされた係止溝が形成され、上記結合孔に挿入されて末端が上記係止溝に係止されて上記回転支持台が固定溝から分離しないようにする離脱防止ピンをさらに含む。
【００１４】
また、上記突出部の両側面の中の何れか一つ以上の側面に結合されて上記突出部の両側面が離隔された角度の調節が可能な角度調節部をさらに含み、上記抵抗板は、上記角度調節部によって調節される上記突出部の両側面離隔された角度によって垂直状態と水平状態との間の回転角度幅が調節され、上記角度調節部は、上記突出部の一側面に内部へ挿入され、外側に突出される長さが調節可能に固定される長さ調節バーと、上記長さ調節バーの外周面に結合され、回転させることによって上記長さ調節バーを突出部の一側面の外側に突出させたり内部に引き込ませる長さ調節部材及び上記長さ調節バーの末端に結合される角度調節部材を含み、上記回転支持台は、上記抵抗板の結合孔に挿入される回転中心軸を含み、上記抵抗板は、上記長さ調節部材によって突出部の一側面の外側に突出または引き込まれる長さ調節バーの長さによって上記突出部の一側面と角度調節部材との間の隔離距離が遠くなったり近くなり、それによって上記回転中心軸を中心に回転される回転角度の幅が調節され、上記長さ調節バーは、上記突出部の一側面にねじ結合方式で挿入固定され、上記長さ調節部材は、上記長さ調節バーとねじ結合方式で結合されて、回転させることによって上記長さ調節バーが上記突出部の一側面に突出されるか引き込まれる長さ調節が可能である。
【００１５】
また、上記回転中心軸は、上記抵抗板の一側面と対向する回転中心軸に第１ベアリングが備えられ、上記回転中心軸の末端部に第２ベアリングが備えられて上記抵抗板の回転を円滑にし、上記第１ベアリングの外径は、上記回転中心軸の突出部の外径と対応するように形成され、上記第２ベアリングの外径は、上記抵抗板の固定溝に挿入されることができるように上記固定溝の内径に対応するように形成され、上記中間部に備えられた第１ベアリングは、末端部に備えられた第２ベアリングより大きい。
【発明の効果】
【００１６】
上述した本発明によれば、抵抗板によって発生される抵抗力で回転体が回転され、回転される回転体の回転力によって発電装置がエネルギーを発電させることができるエネルギー発生装置の抵抗板構造を提供することができる。
【００１７】
また、本発明によれば、抵抗板を多様回転支持台の支持台に回転可能に結合させることができ、個数を調節することにより、流体による抵抗をより発生させることができ、回転体の回転を容易にすることができるだけでなく、電気発電量がより向上されることができるエネルギー発生装置の抵抗板構造を提供することができる。
【図面の簡単な説明】
【００１８】
【図１】本発明の好ましい実施例によるエネルギー発生装置の抵抗板構造を示した斜視図である。
【００１９】
【図２】本発明の好ましい実施例によるエネルギー発生装置の抵抗板構造の抵抗板を示した斜視図である。
【００２０】
【図３】本発明の好ましい実施例によるエネルギー発生装置の抵抗板構造の抵抗板を示した分解斜視図である。
【００２１】
【図４】本発明の好ましい実施例によるエネルギー発生装置の抵抗板構造の抵抗板を示した側面図である。
【発明を実施するための形態】
【００２２】
本発明の利点及び特徴、そしてそれらを達する方法は添付される図面と共に詳細に後述される実施例によって明確になれる。しかしながら、本発明は以下で開示される実施例に限定されるのではなく、互いに異なる多様な形態で具現されることができる。ただ本実施例は本発明の開示が完全になるようにし、本発明が属する技術分野において通常の知識を有する者に発明の範疇を完全に知らせるために提供されるものであり、本発明は請求項の範疇のみによって定義される。明細書全体にかけて同じ参照符号は同じ構成要素を指称する。
【００２３】
以下、本発明の実施例を通じてエネルギー発生装置の抵抗板構造を説明するための図面を参考して本発明を説明する。
【００２４】
図１は本発明の好ましい実施例によるエネルギー発生装置の抵抗板構造を示した斜視図であり、図２は本発明の好ましい実施例によるエネルギー発生装置の抵抗板構造の抵抗板を示した斜視図であり、図３は本発明の好ましい実施例によるエネルギー発生装置の抵抗板構造の抵抗板を示した分解斜視図であり、図４は本発明の好ましい実施例によるエネルギー発生装置の抵抗板構造の抵抗板を示した側面図である。
【００２５】
まず、本発明によるエネルギー発生装置の抵抗板構造は、流体の流れ方向に沿って回転して電気を発電する。
【００２６】
図１〜図４を参照すれば、本発明によるエネルギー発生装置の抵抗板構造は、ハウジング１１０、回転体１２０、回転支持台１３０、抵抗板１４０及び角度制限部１５０を含む。
【００２７】
ハウジング１１０は内部に発電装置が備えられる。
【００２８】
回転体１２０はハウジング１１０に回転可能に結合される。
【００２９】
回転支持台１３０は固定溝１４１に挿入されて結合孔１４４と対向する外面の周りに沿って凹まされた係止溝１３１が形成される。
【００３０】
抵抗板１４０は一側面に内部へ形成されて回転支持台１３０が回転可能に挿入される固定溝１４１が形成され、気体または流体によって抵抗を発生する。
【００３１】
即ち、本発明によるエネルギー発生装置の抵抗板構造は、抵抗板１４０によって発生される抵抗力で回転体１２０が回転され、回転される回転体１２０の回転力によって発電装置がエネルギーを発電することができる。
【００３２】
また、回転支持台１３０は第１ベアリング１３２と第２ベアリング１３３とを備える。
【００３３】
第１ベアリング１３２は抵抗板１４０の一側面と対向する回転支持台１３０に備えられる。
【００３４】
第２ベアリング１３３は回転支持台１３０の末端部に備えられる。
【００３５】
即ち、第１ベアリング１３２と第２ベアリング１３３が回転支持台１３０に備えられることによって、抵抗板１４０の回転を円滑にする。
【００３６】
この時、中間部に備えられた第１ベアリング１３２は、末端部に備えられた第２ベアリング１３３よりさらに大きい。
【００３７】
より好ましくは、第１ベアリング１３２の外径は、回転支持台１３０の突出部１５１の外径と同一に形成され、第２ベアリング１３３の外径は、抵抗板１４０の固定溝１４１に挿入されることができるように固定溝１４１の内径と同一に形成されることが好ましい。
【００３８】
この時、回転支持台１３０に抵抗板１４０が複数備えられることもできる。
【００３９】
一方、角度制限部１５０は気体または流体が移動する正方向で抵抗が発生されるように抵抗板１４０が垂直状態であり、逆方向で抵抗が発生されないように抵抗板１４０が水平状態になるように抵抗板１４０が回転支持台１３０に回転可能に結合させるが、抵抗板１４０の回転角度幅が制限されるように結合される。
【００４０】
また、角度制限部１５０は突出部１５１と離隔溝１５３とを含む。
【００４１】
突出部１５１は回転支持台１３０の外周面に突出するように形成される。この時、突出部１５１の上部側外側面を第１外側面といい、下部側外側面を第２外側面という。
【００４２】
離隔溝１５３は固定溝１４１の内周面の一側が固定溝１４１の半径より大きい半径を有するように外側に形成されて両端に係止突起１５２が形成され、突出部１５１が挿入される。この時、離隔溝１５３の上部側に形成された係止突起１５２を第１係止突起といい、下部側に形成された係止突起１５２を第２係止突起という。
【００４３】
即ち、抵抗板１４０は気体または流体によって回転される時離隔溝１５３の係止突起１５２が突出部１５１に係止されて回転が制限され、気体または流体の移動方向によって垂直状態か水平状態になる。
【００４４】
再び説明すれば、抵抗板１４０が垂直状態であれば、突出部１５１の第１外側面と離隔溝１５３の第１係止突起とが互いに当接した状態になり、抵抗板１４０が水平状態であれば、突出部１５１の第２外側面と離隔溝１５３の第２係止突起とが互いに当接した状態になる。
【００４５】
この時、抵抗板１４０の離隔溝１５３は係止突起１５２が９０゜より大きく１８０゜より小さく形成されることが好ましい。
【００４６】
また、回転支持台１３０の突出部１５１の外側面と抵抗板１４０の離隔溝１５３の内側面は、抵抗板１４０が回転されることにより互いに面接触されることができるように互いに平行に形成される。
【００４７】
それにより、抵抗板１４０は、垂直状態と水平状態の時間の回転角度が９０゜より小さく、水平状態になった時、第２係止突起１５２が突出部１５１の第２外側面に係止されることにより水平面との間に最小抵抗角が形成され、気体または流体の正方向と回転支持台１３０の末端面が対向する状態になれば最小抵抗角によって抵抗が発生されて回転体１２０を中心に回転されて垂直状態になる。
【００４８】
また、抵抗板１４０は板形状で形成され、上記固定溝１４１が形成された部分の外側面が突出され、固定溝１４１を基準として上下部に突出された上部抵抗部１４２と下部抵抗部１４３が形成される。
【００４９】
この時、上部抵抗部１４２と下部抵抗部１４３の長さは二つの中の一つがより長く形成され、上部抵抗部１４２と下部抵抗部１４３の重さは上部抵抗部１４２に比べて下部抵抗部１４３がより重く形成されることが好ましい。
【００５０】
より好ましくは、下部抵抗部１４３の突出長さよりさらに長く形成され、上部抵抗部１４２の重さは下部抵抗部１４３の重さよりさらに軽く形成されることが好ましい。
【００５１】
即ち、抵抗板１４０は気体または流体の進行方向である正方向を向けて回転体１２０が回転されると抵抗が発生されるように垂直状態になり、逆方向を向けて回転体１２０が回転されると抵抗が発生されないように水平状態になる。言い換えれば、抵抗板１４０が気体または流体の流れ方向に敏感に回転支持台１３０を中心に回転されることができる。
【００５２】
また、抵抗板１４０は外側面に固定溝１４１と貫通される結合孔１４４が形成される。
【００５３】
この時、回転支持台１３０は固定溝１４１に挿入されて結合孔１４４と対向する外面の周りに沿って凹まされた係止溝１３１が形成される。
【００５４】
また、本発明によるエネルギー発生装置の抵抗板構造は離脱防止ピン１６０をさらに含む。
【００５５】
離脱防止ピン１６０は結合孔１４４に挿入されて末端が係止溝１３１に係止されて回転支持台１３０が固定溝１４１から分離されないようにする。
【００５６】
即ち、抵抗板１４０は、気体または流体によって回転可能に回転支持台１３０に支持され、同時に、離脱防止ピン１６０によって回転支持台１３０と分離しない。そして、抵抗板１４０が回転される時、離脱防止ピン１６０の末端が外面の周りに沿って凹まされた係止溝１３１に沿って抵抗板１４０と一体に回転される。
【００５７】
本発明によるエネルギー発生装置の抵抗板構造は角度調節部１７０をさらに含む。
【００５８】
角度調節部１７０は突出部１５１の両側面の中の何れか一つの側面以上に結合されて突出部１５１の両側面に離隔された角度の調節が可能である。
【００５９】
また、角度調節部１７０は突出部１５１の第１外側面または第２外側面に複数結合されることができる。
【００６０】
それにより、抵抗板１４０は角度調節部１７０によって調節される突出部１５１の両側面離隔された角度によって垂直状態と水平状態の回転角度幅が調節される。
【００６１】
また、角度調節部１７０は長さ調節バー１７１と長さ調節部材１７２及び角度調節部材１７３を含む。
【００６２】
長さ調節バー１７１は突出部１５１の一側面に内部へ挿入されて外側に突出される長さが調節可能に固定される。
【００６３】
この時、長さ調節バー１７１は突出部１５１の一側面にねじ結合方式で挿入固定される。
【００６４】
長さ調節部材１７２は長さ調節バー１７１の外周面に結合され、回転させることにより長さ調節バー１７１を突出部１５１の一側面の外側に突出させるか内部に引き込ませる。
【００６５】
この時、長さ調節部材１７２は長さ調節バー１７１とねじ結合方式で結合され、回転させることにより長さ調節バー１７１が突出部１５１の一側面に突出されるか引き込まれる長さの調節が可能である。
【００６６】
角度調節部材１７３は長さ調節バー１７１の末端に結合される。
【００６７】
この時、角度調節部材１７３の外側面と抵抗板１４０の離隔溝１５３の係止突起１５２と互いに対向しており、平行に構成されることが好ましい。
【００６８】
即ち、抵抗板１４０は長さ調節部材１７２によって突出部１５１の第１外側面または第２外側面の外側に突出または引き込まれる長さ調節バー１７１の長さによって突出部１５１の第１外側面または第２外側面と角度調節部材１７３との間の隔離距離が遠くなるか狭くなることによって回転支持台１３０を中心に回転される回転角度の幅が調節される。
【００６９】
従って、本発明のエネルギー発生装置の抵抗板構造は、抵抗板１４０が垂直状態で発生される抵抗力を調節することができることによって回転体１２０の回転速度を制御することができ、発電装置の過負荷を防止してメンテナンス管理が容易であり、メンテナンス管理による費用を節減することができる。
【００７０】
【００７１】
本発明が属する技術分野において通常の知識を有する者は本発明がその技術的思想や必須的な特徴を変更しなくても他の具体的な形態で実施されることができることを理解すべきである。そこで、上述した実施例は全ての面で例示的なものであって、限定的でないものに理解すべきである。本発明の範囲は上記詳細な説明より特許請求の範囲によって定められ、特許請求範囲の意味及び範囲そしてその均等概念から導出される全ての変更または変形された形態が本発明の範囲に含まれるものに解釈すべきである。
【図１】
2018504558.tif 000003
【図２】
2018504558.tif 000004
【図３】
2018504558.tif 000005
【図４】
2018504558.tif 000006
【国際調査報告】
2018504558.tif 000007
2018504558.tif 000008
2018504558.tif 000009
2018504558.tif 000010